(57)【特許請求の範囲】
【請求項１】
横並びに配設した複数の遊技台に沿って設けた主搬送路と、所望の隣接する遊技台同士の間に設けた紙幣投入機の出口に一端が臨み、他端が前記主搬送路に至る複数の副搬送路とを備え、前記紙幣投入機に投入された紙幣を前記副搬送路と前記主搬送路とを介して前記遊技台の並び方向の所要部位まで搬送する紙幣搬送装置が、前記主搬送路と前記副搬送路との各合流部に設けられて前記副搬送路から前記主搬送路に紙幣を合流搬送する合流搬送ユニットと、隣接する前記合流搬送ユニット同士の間に設けられて紙幣を前記遊技台の並び方向に搬送する中継搬送ユニットとからなり、且つ、前記各合流搬送ユニットと前記各中継搬送ユニットがそれぞれ一体に形成されると共に、前記中継搬送ユニットが前記合流搬送ユニットに着脱自在に形成された紙幣搬送装置において、
前記中継搬送ユニットは、内部に紙幣搬送機構を備えて形成した中継搬送ユニット本体と、前記紙幣搬送機構を遮蔽する遮蔽部材とから形成し、この遮蔽部材が中継搬送ユニット本体の下面または上面に固定される取付部と、この取付部からヒンジを介して回動可能に連設した側面部と、この側面部から連設され、前記中継搬送ユニット本体の残余の上面または下面に設けた凹部に係脱可能な係止部とからなり、前記側面部によって中継搬送ユニット本体の紙幣搬送機構が横方向から露出可能に設けられることを特徴とする紙幣搬送装置。
【請求項２】
中継搬送ユニット本体の紙幣搬送機構が遮蔽部材の対向設置した一対の側面部によって左右両側からそれぞれ露出可能に遮蔽されることを特徴とする請求項１記載の紙幣搬送装置。
【請求項３】
側面部の紙幣搬送機構に臨む面に上下に分れた突出部が設けられたことを特徴とする請求項２に記載の紙幣搬送装置。
【請求項４】
中継搬送ユニット本体を構成するフレームがアルミニウムまたはアルミニウム合金によって形成され、遮蔽部材が高分子樹脂によって形成されたことを特徴とする請求項２または３に記載の紙幣搬送装置。
【請求項５】
高分子樹脂がポリプロピレンであり、ヒンジが自己ヒンジであることを特徴とする請求項４記載の紙幣搬送装置。
【請求項６】
係止部の先端にスプリングにより付勢された金属球が配設されたことを特徴とする請求項１〜５何れかに記載の紙幣搬送装置。
【請求項７】
遮蔽部材による紙幣搬送機構の露出操作と中継搬送ユニットの合流搬送ユニットからの離脱操作とを妨げる盗難防止手段が設けられたことを特徴とする請求項１〜６何れかに記載の紙幣搬送装置。
【請求項８】
盗難防止手段がキー操作によって着脱可能に設けられたことを特徴とする請求項７記載の紙幣搬送装置。
【請求項９】
横並びに配設した複数の遊技台に沿って設けた主搬送路と、所望の隣接する遊技台同士の間に設けた紙幣投入機の出口に一端が臨み、他端が前記主搬送路に至る複数の副搬送路とを備え、前記紙幣投入機に投入された紙幣を前記副搬送路と前記主搬送路とを介して前記遊技台の並び方向の所要部位まで搬送する紙幣搬送装置が、前記主搬送路と前記副搬送路との各合流部に設けられて前記副搬送路から前記主搬送路に紙幣を合流搬送する合流搬送ユニットと、隣接する前記合流搬送ユニット同士の間に設けられて紙幣を前記遊技台の並び方向に搬送する中継搬送ユニットとからなり、且つ、前記各合流搬送ユニットと前記各中継搬送ユニットがそれぞれ一体に形成されると共に、前記中継搬送ユニットが前記合流搬送ユニットに着脱自在に形成された紙幣搬送装置において、
前記合流搬送ユニットに内部の紙幣搬送機構を逆転して紙幣を逆送りすることの可能な手動操作手段を設けたことを特徴とする紙幣搬送装置。
【請求項１０】
合流搬送ユニットの内部に設けた紙幣搬送機構を逆転して紙幣を逆送りすることの可能な手動操作手段が、合流搬送ユニットに設けられたことを特徴とする請求項１〜８何れかに記載の紙幣搬送装置。
【発明の詳細な説明】
【０００１】
【発明の属する技術分野】
本発明は、例えばパチンコ台の脇に設置する紙幣投入機（通常は台間球貸機の一部として形成される）に投入された紙幣を受け取って所要部、例えばパチンコ島の端部などに搬送する装置に関するものである。
【０００２】
【従来の技術】
従来、この種の紙幣搬送装置として、例えば特開昭６４−２８１３８号公報に記載のものが知られている。この紙幣搬送装置は、島を構成すべく背合わせに設置した一対のパチンコ台列の間隙に配設して使用される。各パチンコ台列には、２台のパチンコ台に対し１台の割合で紙幣投入機を備えた球貸機が設置されており、各紙幣投入機に投入された紙幣は投入機裏側で紙幣搬送装置に受け取られ、パチンコ島の端部などに設けた紙幣収容部に搬送される。
【０００３】
この場合、紙幣搬送装置は２台のパチンコ台に相当する長さの搬送ユニットを一単位として、この搬送ユニットを複数個連結して構成されている。各搬送ユニットは、中間部の合流ローラで紙幣投入機からの紙幣を合流搬送できるようになっており、また、この部分には搬送部の合流ローラや搬送ベルトなどを作動させる駆動装置が搭載されている。
【０００４】
すなわち、各搬送ユニットは、紙幣を合流搬送すべく紙幣投入機に対応して設置された合流搬送部を中間に配設し、その上流側と下流側の両側に直線搬送部を配設して、これらを一体に組み込んだ構成になっている。
【０００５】
しかし、パチンコ台の幅の種類には歴史的経緯から統一された規格がなく、メーカや地域によりまちまちとなっている。具体的には関東系、関西系の２種類がある。また、紙幣投入機も上記のように２台のパチンコ台に１台、或いは１台のパチンコ台に１台を設ける場合もあり、紙幣投入機の配設ピッチも必ずしも一定しない。このため、従来の紙幣搬送装置では、長さの異なる各種の搬送ユニットを用意する必要があり、汎用的に製作できない不具合があった。また、故障の際に迅速に交換できるように、長くてかさばる予備の搬送ユニットを保管しておく必要があった。
【０００６】
さらに、従来の紙幣搬送装置は搬送ユニット同士が差し込み形式で連結固定されているため、故障が発生すると、修理する場合であっても、故障部位を搬送ユニット毎交換する場合であっても、その復旧に手間がかかる問題があった。また、交換に際し、搬送ユニットの一部の故障であっても、高価な搬送ユニット全体を交換せざるを得ず、不経済であると云った問題点があり、本発明の出願人はかかる問題点を解決するため、「横並びに配設した複数の遊技台に沿って設けた主搬送路と、隣接する遊技台同士の間に設けた紙幣投入口に一端が臨み、他端が前記主搬送路に至る複数の副搬送路とを備え、前記紙幣投入口から投入された紙幣を前記副搬送路と前記主搬送路とを介して前記遊技台の並び方向の端部まで搬送する紙幣搬送装置を、前記主搬送路と前記副搬送路との各合流部に設けられて前記副搬送路から前記主搬送路に紙幣を合流搬送する合流搬送ユニットと、隣接する前記合流搬送ユニット同士の間に設けられて紙幣を前記遊技台の並び方向に受渡し搬送する中継搬送ユニットとから構成し、且つ、前記各合流搬送ユニットと前記各中継搬送ユニットをそれぞれ一体に形成すると共に、前記中継搬送ユニットが前記合流搬送ユニットに着脱自在に構成した紙幣搬送装置」の提案を、既に特願平６−２５８７２７号において行った。
【０００７】
【発明が解決しようとする課題】
先に提案した特願平６−２５８７２７号の紙幣搬送装置において、投入した紙幣が詰まったときにはこれを容易に取り除くことができるようにすると共に、搬送途中の紙幣が盗まれない構成にする必要があった。
【０００８】
【課題を解決するための手段】
上記目的を達成すべく本発明は、横並びに配設した複数の遊技台に沿って設けた主搬送路と、所望の隣接する遊技台同士の間に設けた紙幣投入機の出口に一端が臨み、他端が前記主搬送路に至る複数の副搬送路とを備え、前記紙幣投入機に投入された紙幣を前記副搬送路と前記主搬送路とを介して前記遊技台の並び方向の所要部位まで搬送する紙幣搬送装置が、前記主搬送路と前記副搬送路との各合流部に設けられて前記副搬送路から前記主搬送路に紙幣を合流搬送する合流搬送ユニットと、隣接する前記合流搬送ユニット同士の間に設けられて紙幣を前記遊技台の並び方向に搬送する中継搬送ユニットとからなり、且つ、前記各合流搬送ユニットと前記各中継搬送ユニットがそれぞれ一体に形成されると共に、前記中継搬送ユニットが前記合流搬送ユニットに着脱自在に形成された紙幣搬送装置において、前記中継搬送ユニットを、内部に紙幣搬送機構を備えて形成した中継搬送ユニット本体と、前記紙幣搬送機構を遮蔽する遮蔽部材とから形成し、この遮蔽部材が中継搬送ユニット本体の下面または上面に固定される取付部と、この取付部からヒンジを介して回動可能に連設した側面部と、この側面部から連設され、前記中継搬送ユニット本体の残余の上面または下面に設けた凹部に係脱可能な係止部とからなり、前記側面部によって中継搬送ユニット本体の紙幣搬送機構が横方向から露出可能に設けられるようにした第１の構成の紙幣搬送装置と、
【００１０】
前記第１の構成の紙幣搬送装置において、中継搬送ユニット本体の紙幣搬送機構が遮蔽部材の対向設置した一対の側面部によって左右両側からそれぞれ露出可能に遮蔽するようにした第３の構成の紙幣搬送装置と、
【００１１】
前記第１または第２の構成の紙幣搬送装置において、側面部の紙幣搬送機構に臨む面に上下に分れた突出部を設けるようにした第３の構成の紙幣搬送装置と、
【００１２】
前記第２〜第３の構成の紙幣搬送装置において、中継搬送ユニット本体を構成するフレームをアルミニウムまたはアルミニウム合金によって形成し、遮蔽部材を高分子樹脂によって形成するようにした第４の構成の紙幣搬送装置と、
【００１３】
前記第４の構成の紙幣搬送装置において、高分子樹脂がポリプロピレンであり、ヒンジを自己ヒンジで形成するようにした第５の構成の紙幣搬送装置と、
【００１４】
前記第１〜第５の構成の紙幣搬送装置において、係止部の先端にスプリングにより付勢される金属球を配設するようにした第７の構成の紙幣搬送装置と、
【００１５】
前記第１〜第６の構成の紙幣搬送装置において、紙幣搬送機構を露出させる遮蔽部材の操作と中継搬送ユニットの合流搬送ユニットからの離脱操作とを妨げる盗難防止手段とを設けるようにした第７の構成の紙幣搬送装置と、
【００１６】
前記第７の構成の紙幣搬送装置において、盗難防止手段をキー操作によって着脱可能に設けるようにした第８の構成の紙幣搬送装置と、
【００１７】
前記合流搬送ユニットに内部の紙幣搬送機構を逆転して紙幣を逆送りすることのできる手動操作手段を設けるようにした第９の構成の紙幣搬送装置と、
【００１８】
前記第１〜第８の構成の紙幣搬送装置において、合流搬送ユニットの内部に設けた紙幣搬送機構を逆転して紙幣を逆送りすることのできる手動操作手段を、合流搬送ユニットに設けるようにした第１０の構成の紙幣搬送装置と、を提供して前記課題を解決するようにしたものである。
【００１９】
【発明の実施の形態】
以下、本発明の実施の一形態例を図面に基づいて説明する。図１は本発明になる紙幣搬送装置１の設置利用状態を示す平面図であり、図から判るように、本発明の紙幣搬送装置１は、島を構成すべく背合わせに設置する一対のパチンコ台列Ａ，Ａなどの間隙に配設して利用される。
【００２０】
各パチンコ台列Ａには、複数のパチンコ台Ｂが横並びに配設され、その横方向に隣接するパチンコ台Ｂ，Ｂの間隙それぞれに、図示しない台間球貸機の一部を構成するように紙幣投入機Ｃを形成して挿設する。そして、各紙幣投入機Ｃは、その前面に紙幣投入口Ｃ１を、背面に紙幣排出口Ｃ２を備えて、紙幣１００が何れの紙幣投入機Ｃに投入されても、背面の紙幣排出口Ｃ２に臨む副搬送路Ｓから紙幣搬送装置１に内蔵する主搬送路Ｍに受け取られ、主搬送路Ｍを走行して例えば島の端部などに設ける図示しない紙幣収納部に搬送されるように構成する。なお、紙幣１００は横立ち姿勢で各紙幣投入機Ｃに投入され、紙幣搬送装置１によって横立ち姿勢のまま前記紙幣収納部まで搬送されるように構成する。
【００２１】
紙幣搬送装置１は、副搬送路Ｓと主搬送路Ｍとの各合流部位に配設されて紙幣１００を当該副搬送路Ｓから主搬送路Ｍに合流搬送する合流搬送ユニット２と、隣接する合流搬送ユニット２，２間に配設されて合流搬送ユニット２と共に主搬送路Ｍを構成する中継搬送ユニット４とを、交互に順次連結して組み立てる。
【００２２】
合流搬送ユニット２，中継搬送ユニット４は、図２に示すようにそれぞれフレーム２１，４１内に紙幣１００の搬送機構２２，４２を組み込んでカセット式にそれぞれ一体化し、各合流搬送ユニット２は両側の紙幣投入機Ｃ，Ｃ（又は本体部となる図示しない台間球貸機）にねじ止めし（図６参照）、各中継搬送ユニット４は後述するように前後の合流搬送ユニット２，２に着脱自在に形成する。
【００２３】
合流搬送ユニット２は、主搬送路Ｍと副搬送路Ｓとの合流搬送路を構成する合流ガイド２３と、この合流ガイド２３に臨むように設ける一対の本流側ローラ２４Ａ，２４Ｂおよび一対の合流側ローラ２５Ａ，２５Ｂとからなる紙幣１００の搬送機構２２をフレーム２１内に備えるように形成する。
【００２４】
したがって、上流側の中継搬送ユニット４から横立ち姿勢で送り込まれる紙幣１００は、回転する一対の本流側ローラ２４Ａ，２４Ｂに挟み込まれるようにして、主搬送路Ｍ上を下流側の中継搬送ユニット４に送り出される。一方、紙幣投入機Ｃの搬送機構Ｃ３から送り込まれる紙幣１００は、合流ガイド２３の湾曲壁２３Ａまたは２３Ｂを受けにして、回転する当該合流側ローラ２５Ａまたは２５Ｂによって、カーブしながら主搬送路Ｍに合流すると共に、下流側の中継搬送ユニット４に送り出される。
【００２５】
また、合流搬送ユニット２の下側には、図３および図４に示したように、本流側ローラ２４Ａ，２４Ｂ、合流側ローラ２５Ａ，２５Ｂなどを回転させる駆動装置としての駆動モータ２６を搭載する。
【００２６】
そして、図５に示したように、駆動モータ２６のギヤ２６ａと例えば本流側ローラ２４Ａの回転軸２４ａの下部に固定するギヤ２７とを噛み合わせると共に、合流搬送ユニット２のフレーム２１を貫通して上方に延設する回転軸２４ａの上部にギヤ２７Ａと、回転軸２４ａを手動で逆転したり正転させるための手動ノブ２７Ｃとを固定し、さらにギヤ２７Ａが他方の本流側ローラ２４Ｂの回転軸２４ｂの上部に固定するギヤ２７Ｂおよび図示しないプーリの回転軸３１ａの上部に固定するギヤ２８Ａとそれぞれ噛み合い、且つ、ギヤ２７Ｂが図示しないプーリの回転軸３１ｂの上部に固定するギヤ２８Ｂと噛み合うように構成する。
【００２７】
また、駆動モータ２６のギヤ２６ａは、合流側ローラ２５Ａの回転軸２５ａの下部に固定するギヤ２９とも噛み合うようにすると共に、合流搬送ユニット２のフレーム２１を貫通して上方に延設する回転軸２５ａの上部にギヤ２９Ａを固定し、このギヤ２９Ａと他方の合流側ローラ２５Ｂの回転軸２５ｂの上部に固定するギヤ２９Ｂとが噛み合い、さらにこのギヤ２９Ｂの下に固定したギヤ２９Ｃに中間ギヤ２９Ｄが噛み合うように構成する。
【００２８】
したがって、本流側ローラ２４Ａが矢印の向きに回転するように駆動モータ２６を回転させると、他方の本流側ローラ２４Ｂも矢印の向きに回転するので、上流の中継搬送ユニット４から供給される紙幣１００を下流の中継搬送ユニット４に送り出すことができる。また、合流側ローラ２５Ａ，２５Ｂもそれぞれ矢印の向きに回転するので、紙幣１００は何れの側の紙幣投入機Ｃに投入されても副搬送路Ｓから主搬送路Ｍに搬送される。
【００２９】
このように構成する合流搬送ユニット２は、例えば図６に示すようにフレーム２１の両側面の上下に各一対の脚部材３２，３２を設け、この脚部材３２，３２を介して左右の両紙幣投入機Ｃ，Ｃ（又は台間球貸機）にそれぞれねじ止めするように構成する。したがって、各種長さの脚部材３２を準備すれば、両紙幣投入機Ｃ，Ｃ（又は台間球貸機）の間隙の広狭に自在に対応することができる。
【００３０】
一方、中継搬送ユニット４の搬送機構４２は、図２に示したようにフレーム４１の両端部に２組の主従プーリ４３Ａ，４３Ｂ，４４Ａ，４４Ｂをそれぞれ回転自在に軸止し、それぞれの間に搬送ベルト４５，４５を掛け渡して構成する。
【００３１】
両搬送ベルト４５，４５は、相互に接触して主搬送路Ｍを構成し、その接触面に紙幣１００を挟み込むようにして搬送する。そして、主プーリ４３Ａの回転軸の上端部に固定する入力ギヤ４６ａと、主プーリ４３Ｂの回転軸の上端部に固定する入力ギヤ４６ｂとが噛み合い、且つ、入力ギヤ４６ｂが合流搬送ユニット２の中間ギヤ２９Ｄに噛み合うように構成する。
【００３２】
すなわち、中継搬送ユニット４は図４に示したように、前後の合流搬送ユニット２，２に対して上方にワンタッチで離脱でき、また上方からワンタッチで装着できるように構成する。その際、中継搬送ユニット４の入力ギヤ４６ｂが合流搬送ユニット２の中間ギヤ２７Ｄに係脱されるように設ける。したがって、駆動モータ２６の回転動力は、中間ギヤ２７Ｄ，入力ギヤ４６ｂ，４６ａを介して主プーリ４３Ｂ，４３Ａに伝達され、両搬送ベルト４５，４５が同時に走行する。
【００３３】
なお、合流搬送ユニット２に設ける係止突起３０と中継搬送ユニット４に設ける係止穴４７とを互いに嵌合可能に形成し、係止突起３０を係止穴４７に嵌合させることによって、ワンタッチで係合装着した合流搬送ユニット２と中継搬送ユニット４とが不用意に離間することがないように構成する。
【００３４】
中継搬送ユニット４のフレーム４１は、アルミニウムまたはアルミニウム合金（例えば、Ａ６０６３Ｓ−Ｔ５など）による押出し形材で形成すれば、長尺の形材を必要な長さに切断して使用できる。すなわち、パチンコ台Ｂの機種の相違や、紙幣収納部に接続する部分などの、他の部分と長さが異なる中継搬送ユニット４が必要な場合には、適宜、形材からフレーム４１を切り出して、中継搬送ユニット４を製作する。したがって、中継搬送ユニット４は、長さ変更に対し、簡単に、且つ、低コストで対応することができる。
【００３５】
また、中継搬送ユニット４のフレーム４１には、図７および図８に示すように紙幣１００の搬送機構４２を露出可能に被覆できる高分子樹脂製の一対の遮蔽部材４８，４８を左右両面に取着する。すなわち、遮蔽部材４８，４８は、フレーム４１の底面に取付部４９，４９を例えばねじによって着脱可能に取着し、取付部４９，４９からそれぞれ一方の側に自己ヒンジ５０，５０を介して側面部５１，５１を連設し、さらに先端部にスプリング５２，５２によって付勢される金属製の球５３，５３を有する係止部５４，６４を連設し、金属球５３，５３をフレーム４１の上面両側にそれぞれ列設した複数の係止穴５５の適宜のものに嵌合させることで、側面部５１，５１が搬送機構４２を両面から遮蔽し、金属球５３，５３を当該係止穴５５から外し、自己ヒンジ５０，５０を介して側面部５１，５１を回動することで、搬送機構４２が露出するように構成する。
【００３６】
なお、遮蔽部材４８は、側面部５１を繰り返し回動しても自己ヒンジ５０の部分から破断し難くするため、硬度と柔軟性の両方に富んだ樹脂、例えばポリプロピレンなどによって形成する。また、各遮蔽部材４８の側面内側には、搬送ベルト４５，４５の非接触部分を上下から多少の余裕を持って挟み込めるように、突出部５６，５７を上下に分離して形成し、両遮蔽部材４８，４８の突出部５６，５６および５７，５７同士により、搬送ベルト４５，４５の接触部に挟まれて搬送される横立ち姿勢の紙幣１００を案内し、紙幣１００が適宜配設するフレーム支柱５８などに触れて折れたり、詰まったりすることがないように構成する。
【００３７】
また、特定の人以外には係合装着した中継搬送ユニット４が合流搬送ユニット２から離間できないようにし、且つ、中継搬送ユニット４の搬送機構４２を遮蔽するようにセットした遮蔽部材４８の側面部５１，５１が回動できないようにもする、キー９１付きの盗難防止手段９を設ける。
【００３８】
この盗難防止手段９は、図９および図１０に示すように一端に設ける一対の係止爪９２，９２を合流搬送ユニット２の上流側端部に設ける一対の係止フック３３，３３に係合し、キー９１を回動操作するとキー９１に連動する脱落防止手段９３が合流搬送ユニット２の天板３４の下に潜り込んで上方に抜き取ることができないように構成すると共に、この状態で一対の平行な垂設胴９４，９４が、係止穴５５に金属球５３が嵌合して搬送機構４２を遮蔽している遮蔽部材４８の側面部５１，５１を外側から覆うように拘束して、両側面部５１，５１が回動できないように構成する。
【００３９】
したがって、盗難防止手段９をセットしておけば、遮蔽部材４８の両側面部５１，５１が回動できないし、合流搬送ユニット２から中継搬送ユニット４を外すこともできないので、キー９１を持っている責任者以外の人の搬送機構４２への接触が防止され、これにより搬送中の紙幣１００の盗難が確実に防止できる。
【００４０】
また、出没可能な上下一対の紙幣搬送ガイド５９，５９を下流側端部に備える中継搬送ユニット４が着脱し易いように、合流搬送ユニット２の天板３４に天板欠落部３４ａを設けるので、この天板欠落部３４ａを塞ぐための水平被覆部９５を盗難防止手段９の一対の係止爪９２，９２の間に突出形成する。
【００４１】
さらに、合流搬送ユニット２の上面に水平面内で回転可能に浮上防止手段３５Ａ，３５Ｂを軸着し、それぞれを対峙する中継搬送ユニット４，４の側に回動させることで、浮上防止手段３５Ａが盗難防止手段９の水平被覆部９５を介して中継搬送ユニット４の下流側を、浮上防止手段３５Ｂがねじ止めするカバー部材９８を介して中継搬送ユニット４の上流側をそれぞれ押圧し、中継搬送ユニット４を確実に固定すると共に、ギヤ駆動部に埃などが侵入しないように構成する。
【００４２】
また、中継搬送ユニット４には、紙幣１００の通過を検出するためのセンサ９９を設置し、上流側から搬送されてくる紙幣１００をこのセンサ９９が検出すると、下流側直近の副搬送路Ｓに設置する図示しない前記の紙幣搬送中断手段に制御信号を出力して所定時間、すなわちセンサ９９が検出する紙幣１００が下流側直近の合流搬送ユニット２を通過するのに要するだけの時間が経過する間は、当該紙幣投入口Ｃ１から投入される紙幣１００が副搬送路Ｓから主搬送路Ｍに搬送されないように制御して、主搬送路Ｍを搬送される紙幣１００と、副搬送路Ｓを搬送される紙幣１００とが合流搬送ユニット２で重ならないようにする。
【００４３】
センサ９９は、下流側直近の紙幣投入口Ｃ１から投入される紙幣１００が当該合流搬送ユニット２によって副搬送路Ｓから主搬送路Ｍに合流搬送されているときだけ検出動作を行うようにすると共に、紙幣１００の通過を検出すると主搬送路Ｍの搬送機構４２に制御信号を出力して所定時間、すなわち下流側直近の紙幣投入口Ｃ１から投入される紙幣１００が当該合流搬送ユニット２によって副搬送路Ｓから主搬送路Ｍに合流搬送されるのに要するだけの時間が経過する間、主搬送路Ｍの搬送機構４２を停止するように構成し、主搬送路Ｍを搬送される紙幣１００と、副搬送路Ｓを搬送される紙幣１００とが合流搬送ユニット２で重ならないようにすることもできる。
【００４４】
なお、本発明は上記した一実施の形態に限定されるものではないので、特許請求の範囲に記載の趣旨から逸脱しない範囲で各種の変形実施が可能である。
【００４５】
【発明の効果】
本発明の紙幣搬送装置は、中継搬送ユニットに内部の紙幣搬送機構を露出可能に遮蔽する遮蔽部材を備えているので、搬送中に紙幣が万一詰まっても、遮蔽部材を回動するなどして紙幣搬送機構を簡単に調べることができ、特に紙幣搬送機構を逆転して紙幣を逆送りすることのできる手動ノブを備えた装置では、詰まった紙幣を逆送りして簡単に抜き取ることができると云ったメリットがある。
【００４６】
また、遮蔽部材による紙幣搬送機構の露出操作と中継搬送ユニットの合流搬送ユニットからの離脱操作とを妨げる盗難防止手段を備えた紙幣搬送装置においては、盗難防止手段を外すためのキーを責任者が保管するようにすれば、責任者以外の人の搬送機構への接触が防止され、これにより搬送中の紙幣の盗難が確実に防止できるようになると云ったメリットがある。
【図面の簡単な説明】
【図１】紙幣搬送装置の設置利用状態を示す説明図。
【図２】紙幣搬送装置の要部の構造を示す説明図。
【図３】合流搬送ユニットに中継搬送ユニットを装着した状態を示す説明図。
【図４】合流搬送ユニットから中継搬送ユニットを外した状態を示す説明図。
【図５】ギヤの噛み合い状態を示す説明図。
【図６】中継搬送ユニットの取付状態を示す説明図。
【図７】紙幣搬送装置の全体を斜視図で示す説明図。
【図８】遮蔽部材の構造を示す説明図。
【図９】盗難防止手段の構造を斜視図で示す説明図。
【図１０】盗難防止手段を装着した状態を示す説明図。
【符号の説明】
１  紙幣搬送装置
２  合流搬送ユニット
２１  フレーム
２２  搬送機構
２３  合流ガイド
２３Ａ、２３Ｂ  湾曲壁
２４Ａ、２４Ｂ  本流側ローラ
２４ａ、２４ｂ  回転軸
２５Ａ、２５Ｂ  合流側ローラ
２５ａ、２５ｂ  回転軸
２６  駆動モータ
２６ａ  ギヤ
２７、２７Ａ、２７Ｂ  ギヤ
２７Ｃ  手動ノブ
２８Ａ、２８Ｂ  ギヤ
２９、２９Ａ、２９Ｂ、２９Ｃ  ギヤ
２９Ｄ  中間ギヤ
３０  係止突起
３１ａ、３１ｂ  回転軸
３２  脚部材
３３  係止フック
３４  天板
３４ａ  天板欠落部
３５Ａ，３５Ｂ  浮上防止手段
４  中継搬送ユニット
４１  フレーム
４２  搬送機構
４３Ａ、４３Ｂ  主プーリ
４４Ａ、４４Ｂ  従プーリ
４５  搬送ベルト
４６ａ，４６ｂ  入力ギヤ
４７  係止穴
４８  遮蔽部材
４９  取付部
５０  自己ヒンジ
５１  側面部
５２  スプリング
５３  金属球
５４  係止部
５５  係止穴
５６・５７  突出部
５８  フレーム支柱
５９  紙幣搬送ガイド
９  盗難防止手段
９１  キー
９２  係止爪
９３  脱落防止手段
９４  垂設胴
９５  水平被覆部
９８  カバー部材
９９  センサ
１００  紙幣
Ａ  パチンコ台列
Ｂ  パチンコ台
Ｃ  紙幣投入機
Ｃ１  紙幣投入口
Ｃ２  紙幣排出口
Ｃ３  搬送機構
Ｍ  主搬送路
Ｓ  副搬送路
【図１】
0003630786.tif 000002
【図２】
0003630786.tif 000003
【図３】
0003630786.tif 000004
【図４】
0003630786.tif 000005
【図５】
0003630786.tif 000006
【図６】
0003630786.tif 000007
【図７】
0003630786.tif 000008
【図８】
0003630786.tif 000009
【図９】
0003630786.tif 000010
【図１０】
0003630786.tif 000011